(57)【特許請求の範囲】
【請求項１】
３畳程度以上１２畳程度以下の広さで、かつ短辺に対する長辺の比が略２以下で、かつ天井高さ略１．８［ｍ］以上３．０［ｍ］以下の居室空間の照明方法であって、
床面からの高さが０〜０．３［ｍ］の壁面の領域を領域Ａ、床面からの高さが１．２〜１．５［ｍ］の壁面の領域を領域Ｂ、壁面からの距離が０．６〜０．９［ｍ］の天井面の領域を領域Ｃとし、領域Ａの鉛直面照度をＦａ、領域Ｂの鉛直面照度をＦｂ、領域Ｃの下向き水平面照度をＦｃとしたとき、
居室内の少なくとも一壁面における幅方向の中央付近において、１．５≦Ｆｂ／Ｆａ≦２．０、かつ、１．０≦Ｆｃ／Ｆｂ≦２．０を満たすように照明することを特徴とする居室空間の照明方法。
【請求項２】
居室内の少なくとも一壁面における幅方向の中央付近において、１００［ｌｘ］≦Ｆａ≦１５０［ｌｘ］を満たすことを特徴とする請求項１に記載の居室空間の照明方法。
【請求項３】
壁面からの距離が０．９［ｍ］以上離れた天井面の領域の下向き水平面照度をＦｄとしたとき、
８０［ｌｘ］≦Ｆｄ≦２００［ｌｘ］を満たすことを特徴とする請求項１又は請求項２に記載の居室空間の照明方法。
【請求項４】
壁面からの距離が０．５［ｍ］以上離れた作業面の領域の水平面照度をＦｅとしたとき、
１５０［ｌｘ］≦Ｆｅを満たすことを特徴とする請求項１乃至請求項３のいずれかに記載の居室空間の照明方法。
【請求項５】
前記作業面の領域の水平面照度が調整可能なことを特徴とする請求項４に記載の居室空間の照明方法。
【請求項６】
光源を備え、天井高さ略１．８［ｍ］以上３．０［ｍ］以下の居室空間の高さ略２．０［ｍ］付近の壁面に取付けられる照明装置において、
壁面の法線方向を０°とし、鉛直上向き方向を９０°、鉛直下向き方向を−９０°とした場合、主配光を略９０°方向、または、略−９０°方向、または、略９０°方向と−９０°方向の両方向に有し、
３０°〜−３０°の方向に放たれる光束の総和を、６０°〜９０°の方向に放たれる光束と−６０°〜−９０°の方向に放たれる光束の総和の２５％以上とし、かつ、０°〜−３０°の方向に放たれる光の光度を、その範囲内から観察したときの輝度が３０００［ｃｄ／ｍ２］以下となるようにしたことを特徴とする照明装置。
【請求項７】
前記３０°〜−３０°の方向に放たれる光の光度の最小値を、光源の放つ光束１０００［ｌｍ］あたり４０［ｃｄ］以上としたことを特徴とする請求項６に記載の照明装置。
【請求項８】
９０°〜１２０°の方向に放たれる光束と−９０°〜−１２０°の方向に放たれる光束の総和を、１２０°〜１８０°の方向に放たれる光束と−１２０°〜−１８０°の方向に放たれる光束の総和以上としたことを特徴とする請求項６又は請求項７に記載の照明装置。
【請求項９】
−９０°〜−１００°の方向に放たれる光の光度の最大値を、光源の放つ光束１０００［ｌｍ］あたり１２０［ｃｄ］以上としたことを特徴とする請求項６乃至請求項８のいずれかに記載の照明装置。
【請求項１０】
３０°〜６０°の方向に放たれる光の光度の最小値を、光源の放つ光束１０００［ｌｍ］あたり４０［ｃｄ］以上としたことを特徴とする請求項６乃至請求項９のいずれかに記載の照明装置。
【請求項１１】
−３０°〜−６０°の方向に放たれる光の光度の最小値を、光源の放つ光束１０００［ｌｍ］あたり４０［ｃｄ］以上としたことを特徴とする請求項６乃至請求項１０のいずれかに記載の照明装置。
【請求項１２】
−３０°〜−６０°の方向に放たれる光の光度を可変としたことを特徴とする請求項６乃至請求項１１のいずれかに記載の照明装置。
【請求項１３】
所定の領域を部分的に照らすスポットライトをさらに備えたことを特徴とする請求項６乃至請求項１２のいずれかに記載の照明装置。
【請求項１４】
前記スポットライトの光度を可変としたこと特徴とする請求項１３に記載の照明装置。
【請求項１５】
光源を備え、天井高さ略１．８［ｍ］以上３．０［ｍ］以下の居室空間の高さ略２．０［ｍ］付近の壁面に取付けられる照明装置において、
壁面の法線方向を０°とし、鉛直上向き方向を９０°、鉛直下向き方向を−９０°とした場合、前記光源から少なくとも３０°〜−３０°の範囲に放たれる光を半透過する半透過セードと、前記光源から少なくとも略１８０°の方向へ放たれる光を略９０°〜１２０°の方向と略−９０°〜−１２０°の方向へ反射する反射体とを備え、
前記半透過セードを透過して３０°〜−３０°の方向に放たれる光束の総和を、６０°〜９０°の方向に放たれる光束と−６０°〜−９０°の方向に放たれる光束の総和の２５％以上とし、
前記半透過セードを透過して０°〜−３０°の方向に放たれる光の光度を、その範囲内から観察したときの輝度が３０００[ｃｄ／ｍ２]以下となるようにし、
前記９０°〜１２０°の方向に放たれる光束と−９０°〜−１２０°の方向に放たれる光束の総和を、１２０°〜１８０°の方向に放たれる光束と−１２０°〜−１８０°の方向に放たれる光束の総和以上としたことを特徴とする照明装置。
【請求項１６】
３畳程度以上１２畳程度以下の広さで、かつ短辺に対する長辺の比が略２以下で、かつ天井高さ略１．８［ｍ］以上３．０［ｍ］以下の居室空間に、上記請求項６乃至請求項１１のいずれかに記載の照明装置を高さ２．０［ｍ］付近で壁面に設置し照明することを特徴とする居室空間の照明方法。
【発明の詳細な説明】
【０００１】
【発明の属する技術分野】
本発明は、住宅等の屋内において快適な照明環境を実現するための照明方法、およびそれを実現するための照明装置に関する。
【０００２】
【従来の技術】
従来、住宅等の居室内の主照明として、天井の中心に設けられたシーリングライトや、天井から吊るされたペンダントライトが用いられている。これらシーリングライトやペンダントライトを用いた照明の特徴として、床面が比較的高照度となり、照明器具部分以外での天井面及び壁面上部が壁面中心部よりも低い部分に比べて低照度、低輝度となる傾向がある。一般的に、シーリングライトやペンダントライトを用いたこのような照明環境では、高い安らぎ感は得られない。
【０００３】
また、住宅等の居室内の主照明として、壁に取付けて使用する照明器具も用いられている。この壁に取付けて使用する照明器具を用いた照明の特徴として、シーリングライトやペンダントライトを用いた場合に比べて、天井面は高輝度であること、また壁面は上部が高輝度であり下部になるに従って低輝度となること、等の傾向がある。壁に取付けて使用する照明器具を用いたこのような照明環境では、シーリングライトやペンダントライトを用いた照明環境よりも高い安らぎ感が得られる。
【０００４】
【発明が解決しようとする課題】
ところが、上述した従来の壁に取付けて使用する照明器具を用いた照明環境では、壁面下部が過剰に低照度、低輝度となってしまい、天井面や壁面の一部分に過剰に高輝度な部分が存在するなど、好ましくない特徴もある。このため、シーリングライトやペンダントライトを用いた照明環境よりも高い安らぎ感は得られるものの、より高い安らぎ感は得られていなかった。
【０００５】
本発明は、上記課題を解決するためになされたものであり、より高い安らぎ感を得ることができる快適な照明環境を提供することを目的とする。
【０００６】
【課題を解決するための手段】
上記目的を達成するために、請求項１の発明は、３畳程度以上１２畳程度以下の広さで、かつ短辺に対する長辺の比が略２以下で、かつ天井高さ略１．８［ｍ］以上３．０［ｍ］以下の居室空間の照明方法であって、床面からの高さが０〜０．３［ｍ］の壁面の領域を領域Ａ、床面からの高さが１．２〜１．５［ｍ］の壁面の領域を領域Ｂ、壁面からの距離が０．６〜０．９［ｍ］の天井面の領域を領域Ｃとし、領域Ａの鉛直面照度をＦａ、領域Ｂの鉛直面照度をＦｂ、領域Ｃの下向き水平面照度をＦｃとしたとき、居室内の少なくとも一壁面における幅方向の中央付近において、１．５≦Ｆｂ／Ｆａ≦２．０、かつ、１．０≦Ｆｃ／Ｆｂ≦２．０を満たすように照明する。
【０００７】
この構成においては、壁面下部は、暗くなりすぎることのない程度に壁面中心部よりも低照度、低輝度となり、壁面上部及び天井面は、明るくなりすぎることのない程度に壁面中心部よりも高照度、高輝度となる。
【０００８】
また、請求項２の発明は、請求項１に記載の居室空間の照明方法において、居室内の少なくとも一壁面における幅方向の中央付近において、１００［ｌｘ］≦Ｆａ≦１５０［ｌｘ］を満たすように照明する。この構成においては、壁面下部が過剰に低照度、低輝度となることがなく、壁面下部が適度な明るさで照らされる。
【０００９】
また、請求項３の発明は、請求項１又は請求項２に記載の居室空間の照明方法において、壁面からの距離が０．９［ｍ］以上離れた天井面の領域の下向き水平面照度をＦｄとしたとき、８０［ｌｘ］≦Ｆｄ≦２００［ｌｘ］を満たすように照明する。この構成においては、天上面が過剰に高照度、高輝度となることがなく、天井面が適度な明るさで照らされる。
【００１０】
また、請求項４の発明は、請求項１乃至請求項３のいずれかに記載の居室空間の照明方法において、壁面からの距離が０．５［ｍ］以上離れた作業面の領域の水平面照度をＦｅとしたとき、１５０［ｌｘ］≦Ｆｅを満たすように照明する。この構成においては、居室内の作業面が低照度となることがなく、作業面が作業に支障のない適度な明るさで照らされる。
【００１１】
また、請求項５の発明は、請求項４に記載の居室空間の照明方法において、前記作業面の領域の水平面照度を調整可能とする。この構成においては、作業面の高さに応じて照度が調整され、作業面がどのような高さでも、作業に支障のない適度な明るさで照らされる。
【００１２】
また、請求項６の発明は、光源を備え、天井高さ略１．８［ｍ］以上３．０［ｍ］以下の居室空間の高さ略２．０［ｍ］付近の壁面に取付ける照明装置において、壁面の法線方向を０°とし、鉛直上向き方向を９０°、鉛直下向き方向を−９０°とした場合、主配光を略９０°方向、または、略−９０°方向または、略９０°方向と−９０°方向の両方向に有し、３０°〜−３０度の方向に放たれる光束の総和を、６０°〜９０°の方向に放たれる光束と−６０°〜−９０°の方向に放たれる光束の総和の２５％以上とし、かつ、０°〜−３０°の方向に放たれる光の光度を、その範囲内から観察したときの輝度が３０００［ｃｄ／ｍ２］以下となるようにした。
【００１３】
この構成においては、照明装置を天井高さ略１．８［ｍ］以上３．０［ｍ］以下の居室空間の高さ略２．０［ｍ］付近の壁面に設置することにより、３０°〜−３０°の範囲に放たれた光が対向する壁面に照射される。また、０°〜−３０°の方向へは、光度がその範囲内から観察したときの輝度が３０００［ｃｄ／ｍ２］以下の光が放たれるため、居室空間にいる者への眩しさが抑えられる。
【００１４】
また、請求項７の発明は、請求項６に記載の照明装置において、３０°〜−３０°の方向に放たれる光の光度の最小値を、光源の放つ光束１０００［ｌｍ］あたり４０［ｃｄ］以上とした。この構成においては、照明装置を設置した壁面に対向する壁面が適度な明るさに照らされる。
【００１５】
また、請求項８の発明は、請求項６又は請求項７に記載の照明装置において、９０°〜１２０°の方向に放たれる光束と−９０°〜−１２０°の方向に放たれる光束の総和を、１２０°〜１８０°の方向に放たれる光束と−１２０°〜−１８０°の方向に放たれる光束の総和以上とした。この構成においては、９０°〜１２０°の方向と−９０°〜−１２０°の方向へ放たれた光により、照明装置を設置した壁面が明るく照らされる。
【００１６】
また、請求項９の発明は、請求項６乃至請求項８のいずれかに記載の照明装置において、−９０°〜−１００°の方向に放たれる光の光度の最大値を、光源の放つ光束１０００［ｌｍ］あたり１２０［ｃｄ］以上とした。この構成においては、照明装置を設置した壁面の下部が適度な明るさで照らされる。
【００１７】
また、請求項１０の発明は、請求項６乃至請求項９のいずれかに記載の照明装置において、３０°〜６０°の方向に放たれる光の光度の最小値を、光源の放つ光束１０００［ｌｍ］あたり４０［ｃｄ］以上とした。この構成においては、天井面方向が適度な明るさで照らされる。
【００１８】
また、請求項１１の発明は、請求項６乃至請求項１０のいずれかに記載の照明装置において、−３０°〜−６０°の方向に放たれる光の光度の最小値を、光源の放つ光束１０００［ｌｍ］あたり４０［ｃｄ］以上とした。この構成においては、床面方向が明るく照らされ、作業面が適度な明るさに照らされる。
【００１９】
また、請求項１２の発明は、請求項６乃至請求項１１のいずれかに記載の照明装置において、−３０°〜−６０°の方向に放たれる光の光度を可変とした。この構成においては、作業領域の高さに応じて光度が調整され、作業領域がどのような高さでも、作業領域が適度な明るさで照らされる。
【００２０】
また、請求項１３の発明は、請求項６乃至請求項１２のいずれかに記載の照明装置において、所定の領域を部分的に照らすスポットライトをさらに設けた。この構成においては、スポットライトにより、居室内の作業領域が部分的に照らされ、作業領域が適度な明るさに照らされる。
【００２１】
また、請求項１５の発明は、光源を備え、天井高さ略１．８［ｍ］以上３．０［ｍ］以下の居室空間の高さ略２．０［ｍ］付近の壁面に取付けられる照明装置において、壁面の法線方向を０°とし、鉛直上向き方向を９０°、鉛直下向き方向を−９０°とした場合、前記光源から少なくとも３０°〜−３０°の範囲に放たれる光を半透過する半透過セードと、前記光源から少なくとも略１８０°の方向へ放たれる光を略９０°〜１２０°の方向と略−９０°〜−１２０°の方向へ反射する反射体とを備え、前記半透過セードを透過して３０°〜−３０°の方向に放たれる光束の総和を６０°〜９０°の方向に放たれる光束と−６０°〜−９０°の方向に放たれる光束の総和の２５％以上とし、前記半透過セードを透過して０°〜−３０°の方向に放たれる光の光度を、その範囲内から観察したときの輝度が３０００［ｃｄ／ｍ２］以下となるようにし、前記９０°〜１２０°の方向に放たれる光束と−９０°〜−１２０°の方向に放たれる光束の総和を１２０°〜１８０°の方向に放たれる光束と−１２０°〜−１８０°の方向に放たれる光束の総和以上とした。
【００２２】
この構成においては、照明装置を天井高さ略１．８［ｍ］以上３．０［ｍ］以下の居室空間の高さ略２．０［ｍ］付近の壁面に設置することにより、半透過セードにより減衰され３０°〜−３０°の範囲に放たれた光が対向する壁面に照射される。また、０°〜−３０°の方向への光は、半透過セードにより減衰されて、光度がその範囲内から観察したときに３０００［ｃｄ／ｍ２］以下となる光が放たれるため、居室空間にいる者への眩しさが抑えられる。また、９０°〜１２０°の方向と−９０°〜１２０°の方向へ放たれた光により、照明装置を設置した壁面が明るく照らされる。
【００２３】
また、請求項１６の発明は、３畳程度以上１２畳程度以下の広さで、かつ短辺に対する長辺の比が略２以下で、かつ天井高さ略１．８［ｍ］以上３．０［ｍ］以下の居室空間に、上記請求項６乃至請求項１１のいずれかに記載の照明装置を高さ２．０［ｍ］付近で壁面に設置して照明する。
【００２４】
この構成においては、床面からの高さが０〜０．３［ｍ］の壁面の領域を領域Ａ、床面からの高さが１．２〜１．５［ｍ］の壁面の領域を領域Ｂ、壁面からの距離が０．６〜０．９［ｍ］の天井面の領域を領域Ｃとし、領域Ａの鉛直面照度をＦａ、領域Ｂの鉛直面照度をＦｂ、領域Ｃの下向き水平面照度をＦｃとしたとき、居室内の少なくとも一壁面における幅方向の中央付近において、１．５≦Ｆｂ／Ｆａ≦２．０、かつ、１．０≦Ｆｃ／Ｆｂ≦２．０を満たすように照明される。これにより、壁面下部は、暗くなりすぎることのない程度に壁面中心部よりも低照度、低輝度となり、壁面上部及び天井面は、明るくなりすぎることのない程度に壁面中心部よりも高照度、高輝度となる。
【００２５】
【発明の実施の形態】
以下本発明の照明方法について図面を基に説明する。本発明は、高い安らぎ感と快適な明るさ感を与える照明環境を求めるものであり、そのため、３畳程度以上１２畳程度以下の広さで、かつ短辺に対する長辺の比が略２以下で、かつ天井高さ略１．８［ｍ］以上３．０［ｍ］以下の居室空間を対象として、居室空間の照度と安らぎ感、明るさ感の関係について心理評価実験を行った。実験は、８畳程度の広さの居室空間において、図１に示すように、照明器具２０を壁面２１に取付けて行い、床面２２からの高さが０〜０．３［ｍ］の壁面２１の領域を「領域Ａ」、床面２２からの高さが１．２〜１．５［ｍ］の壁面２１の領域を「領域Ｂ」、壁面２１からの距離が０．６〜０．９［ｍ］の天井面２３の領域を「領域Ｃ」とし、領域Ａの鉛直面照度をＦａ、領域Ｂの鉛直面照度をＦｂ、領域Ｃの下向き水平面照度をＦｃとした。また、壁面２１からの距離が０．９［ｍ］以上離れた天井面２３の下向き水平面照度をＦｄとした。そして、これらの照度Ｆａ、Ｆｂ、Ｆｃ、Ｆｄを種々変化させた照明環境において、被験者に安らぎ感と明るさ感を評価させる実験を行った。
【００２６】
図２は、実験により得た居室空間の照度と安らぎ感の関係を示したグラフであり、横軸にＦｂ／Ｆａの値（領域Ａの照度に対する領域Ｂの照度の比）をとり、縦軸にＦｃ／Ｆｂの値（領域Ｂの照度に対する領域Ｃの照度の比）をとり、「安らぎ感」の高さを数値で表してプロットしたものである。このグラフから、Ｆｂ／Ｆａの値が１．５≦Ｆｂ／Ｆａ≦２．０で、Ｆｃ／Ｆｂの値が１．０≦Ｆｂ／Ｆｃ≦２．０のときに安らぎ感が得られていることが分かる。
【００２７】
また、図３は、実験により得た居室空間の照度と安らぎ感の関係を示すグラフであり、横軸にＦａの値（領域Ａの照度）をとり、縦軸に「安らぎ感」の評定値をとったものである。このグラフから、Ｆａの値が１００［ｌｘ］程度のとき、評定値４以上の安らぎ感が得られていることが分かる。
【００２８】
また、図４は、実験により得た居室空間の照度と明るさ感の関係を示すグラフであり、横軸にＦａの値（領域Ａの照度）をとり、縦軸に「明るさ感」の評定値をとったものである。このグラフから、Ｆａの値が１００［ｌｘ］≦Ｆａ≦１５０［ｌｘ］の範囲のとき、評定値５前後の快適な明るさ感が得られていることが分かる。
【００２９】
また、図５は、実験により得た居室空間の照度と明るさ感の関係を示すグラフであり、横軸にＦｄの値（壁面２１からの距離が０．９［ｍ］以上離れた天井面２３の下向き水平面照度を）をとり、縦軸に「明るさ感」の評定値をとったものである。このグラフから、Ｆｄの値が８０［ｌｘ］≦Ｆｄ≦２００［ｌｘ］の範囲のとき、評定値５前後の快適な明るさ感が得られていることが分かる。
【００３０】
本発明は、これらの心理評価実験の結果に基づいて成されたものである。以下、本発明を具体化した実施形態について図面を参照して説明する。
【００３１】
＜第１の実施形態＞
第１の実施形態による照明装置１の概略構成を図６及び図７に示す。照明装置１は、総光束３４００［ｌｍ］の直管蛍光灯（光源）２と、蛍光灯２の前方に配置される略円弧形状のセード３と、蛍光灯２の後方に配置される反射体４とを備えている。
【００３２】
蛍光灯２は、照明装置１を壁面２１へ取付けたときに、壁面２１との距離が約７［ｃｍ］となるように照明装置１内に設けられている。セード３は、蛍光灯２から約４［ｃｍ］離れた位置に設けられ、蛍光灯２から３０°〜−３０°の範囲を覆う透過率約３７％の半透過セード３ａと、蛍光灯２から３０°〜６０°の範囲及び−３０°〜−６０°までの範囲を覆う不透過セード３ｂとから構成されている。なお、光源の位置を原点とし、壁面２１の法線方向を０°方向とし、上側を＋方向、下側を−方向とする。反射体４は、蛍光灯２と壁面２１との間でその反射面が壁面２１から約５［ｃｍ］の所になるように設けられ、蛍光灯２から約１５０°〜１８°の範囲の方向へ放たれる光を約９０°〜１５０°の方向へ反射し、また、−１５０°〜−１８０°の範囲の方向へ放たれる光を約−９０°〜−１５０°の方向へ反射するように構成されている。
【００３３】
この様な構成により、照明装置１は、３０°〜−３０°の方向へは半透過セード３ａにより減衰された光を放ち、３０°〜６０°の方向及び−３０°〜−６０°の方向へは不透過セード３ｂのために光を放たない。また、約６０°〜１５０°の方向及び約−６０°〜−１５０°の方向及へは、蛍光灯２からの直接の光と反射体４により反射された光を直に放つ。
【００３４】
この結果、照明装置１の主配光は、図８に示すように、略９０°〜１２０°の方向（真上方向）と略−９０°〜−１２０°の方向（真下方向）となる。すなわち、照明装置１は、略９０°〜１２０°の方向と略−９０°〜−１２０°の方向とに最も強い光を放つ。また、図８において符号▲１▼を付したハッチング部分の方向すなわち３０°〜−３０°の方向に放たれる光束の総和は、符号▲２▼を付したハッチング部分の方向すなわち６０°〜９０°の方向に放たれる光束と符号▲３▼を付したハッチング部分の方向すなわち−６０°〜−９０°の方向に放たれる光束の総和の２５％以上となる。また、符号▲４▼を付したハッチング部分の方向すなわち０°〜−３０°の方向に放たれる光の光度は、その範囲内から観察したときに３０００［ｃｄ／ｍ２］以下となる。
【００３５】
また、図９において符号▲１▼を付したハッチング部分の方向すなわち３０°〜−３０°の方向に放たれる光の光度の最小値は、蛍光灯２の放つ光束１０００［ｌｍ］あたり４０［ｃｄ］以上となる。また、図１０において符号▲１▼を付したハッチング部分の方向すなわち略９０°〜１２０°の方向と符号▲２▼を付したハッチング部分の方向すなわち略−９０°〜−１２０°の方向に放たれる光束の総和が、符号▲３▼を付したハッチング部分の方向すなわち略１２０°〜１８０°の方向と略−１２０°〜−１８０°の方向へ放たれる光束の総和よりも多くなる。また、図１１において符号▲１▼を付したハッチング部分の方向すなわち略−９０°〜−１００°の方向の光度の最大値は、蛍光灯２の放つ光束１０００［ｌｍ］あたり１２０［ｃｄ］以上となる。
【００３６】
そして、この照明装置１を、図１２に示すように、３畳程度以上１２畳程度以下の広さで、かつ短辺に対する長辺の比が２以下で、かつ天井面２３の高さが１．８［ｍ］以上３．０［ｍ］以下の居室空間の対向する２つの壁面２１に、それぞれ、床面２２からの高さ２．０［ｍ］付近で設置する（対向するもう一方一方の壁面２１とその壁面２１に取付けた照明装置１は不図示）。
【００３７】
これにより、略９０°〜１２０°の方向と略−９０°〜−１２０°の方向に放たれる光は、光束の総和が略１２０°〜１８０°の方向と略−１２０°〜−１８０°の方向へ放たれる光束の総和よりも多く、最も強いので、照明装置１を設置した壁面２１を明るく照らすことができ、照明装置１を設置した壁面２１からの反射拡散光が部屋全体に行き渡り、かつ十分な間接光成分を確保することができる。これにより、その居室空間にいる者に高い安らぎ感と快適な明るさ感を与えることができる。
【００３８】
また、３０°〜−３０°の方向に放たれる光束の総和は、６０°〜９０°の方向に放たれる光束と−６０°〜−９０°の方向に放たれる光束の総和の２５％以上なので、対向する壁面２１に１２０［ｌｘ］以上の適切な照度をもたらすことができる。これにより、その居室空間にいる者に快適な明るさ感与えることができる。
【００３９】
また、０°〜−３０°の方向に放たれる光の光度は、その範囲内から観察したときの輝度が３０００［ｃｄ／ｍ２］以下となるようにしたので、居室空間にいる者への眩しさを抑えることができる。
【００４０】
また、３０°〜−３０°の方向に放たれる光の光度の最小値は、蛍光灯２の放つ光束１０００［ｌｍ］あたり４０［ｃｄ］以上なので、この照明装置１を設置した壁面２１の対向壁面２１及び天井面２３を明るく照らすことができる。これにより、その居室空間にいる者に高い安らぎ感と快適な明るさ感を与えることができる。
【００４１】
また、略−９０°〜−１００°の方向の光度の最大値は、蛍光灯２の放つ光束１０００［ｌｍ］あたり１２０［ｃｄ］以上であり、照明装置１を設置した壁面２１の下部の照度が１２０［ｌｘ］以上なので、照明装置１を設置した壁面２１の下部を明るく照らすことができる。これにより、その居室空間にいる者に高い安らぎ感と快適な明るさ感を与えることができる。
【００４２】
また、床面２２からの高さが０〜０．３［ｍ］の壁面２１の領域を領域Ａ、床面２２からの高さが１．２〜１．５［ｍ］の壁面２１の領域を領域Ｂ、壁面２１からの距離が０．６〜０．９［ｍ］の天井面２３の領域を領域Ｃとし、領域Ａの鉛直面照度をＦａ、領域Ｂの鉛直面照度をＦｂ、領域Ｃの下向き水平面照度をＦｃとしたとき、壁面２１における幅方向の中央付近において１．５≦Ｆｂ／Ｆａ≦２．０かつ１．０≦Ｆｃ／Ｆｂ≦２．０が満たされ、また、１００［ｌｘ］≦Ｆａ≦１５０［ｌｘ］が満たされる。すなわち、実験により得た安らぎ感の高い照明環境と快適な明るさ感の照明環境が実現されるので、居室空間にいる者に高い安らぎ感と快適な明るさ感を与えることができる。
【００４３】
＜第２の実施形態＞：
次に、第２の実施形態による照明装置１の概略構成を図１３に示す。本実施形態においては、セード３は、蛍光灯２から６０°〜−３０°の範囲を覆う透過率約３７％の半透過セード３ａと、蛍光灯２から−３０°〜−６０°までの範囲を覆う不透過セード３ｂとから構成されている。その他の構成については、上記実施形態と同様であり、その説明を省略する。
【００４４】
このような構成により、照明装置１は、６０°〜−３０°の方向へは半透過セード３ａにより減衰された光を放ち、−３０°〜−６０°の方向へは不透過セード３ｂのために光を放たない。また、約６０°〜１５０°の方向及び約−６０°〜−１５０°の方向及へは、蛍光灯２からの直接の光と反射体４により反射された光を直に放つ。
【００４５】
この結果、照明装置１は、図１４に示す符号▲１▼を付したハッチング部分の方向すなわち３０°〜６０°の方向に放たれる光の光度の最小値は、蛍光灯２の放つ光束１０００［ｌｍ］あたり４０［ｃｄ］以上となる。なお、略９０°〜１２０°の方向と略−９０°〜−１２０°の方向、３０°〜−３０°の方向、０°〜−３０°の方向、及び−９０°〜−１００°の方向へは、上記の実施形態と同様の光が放たれる。
【００４６】
そして、この照明装置１を、３畳程度以上１２畳程度以下の広さで、かつ短辺に対する長辺の比が２以下で、かつ天井面２３の高さが１．８［ｍ］以上３．０［ｍ］以下の居室空間の対向する２つの壁面２１に、それぞれ、床面２２からの高さ２．０［ｍ］付近で設置する。
【００４７】
これにより、３０°〜６０°の方向へ放たれる光の光度の最小値は、光源の放つ光束１０００［ｌｍ］あたり４０［ｃｄ］以上なので、天井面２３方向を明るく照らし、かつ天井面２３からの反射拡散光を確保することができる。これにより、その居室空間にいる者に高い安らぎ感と快適な明るさ感を与えることができる。
【００４８】
また、略９０°〜１２０°の方向と略−９０°〜−１２０°の方向に放たれる光は、上記の実施形態と同様に、照明装置１を設置した壁面２１を明るく照らすことができ、照明装置１を設置した壁面２１からの反射拡散光が部屋全体に行き渡り、かつ十分な間接光成分を確保することができる。これにより、その居室空間にいる者に高い安らぎ感と快適な明るさ感を与えることができる。
【００４９】
また、３０°〜−３０°の方向に放たれる光は、上記実施形態と同様に、対向する壁面２１に１２０［ｌｘ］以上の適切な照度をもたらすと共に、照明装置１を設置した壁面２１の対向壁面２１及び天井面２３を明るく照らすことができる。これにより、その居室空間にいる者に快適な明るさ感を与えることができる。
【００５０】
また、０°〜−３０°の方向に放たれる光は、上記実施形態と同様に、居室空間にいる者への眩しさを抑えることができる。
【００５１】
また、略−９０°〜−１００°の方向に放たれる光は、上記実施形態と同様に、照明装置１を設置した壁面２１の下部を明るく照らすことができる。これにより、その居室空間にいる者に高い安らぎ感と快適な明るさ感を与えることができる。
【００５２】
また、本実施形態においても、床面２２からの高さが０〜０．３［ｍ］の壁面２１の領域を領域Ａ、床面２２からの高さが１．２〜１．５［ｍ］の壁面２１の領域を領域Ｂ、壁面２１からの距離が０．６〜０．９［ｍ］の天井面２３の領域を領域Ｃとし、領域Ａの鉛直面照度をＦａ、領域Ｂの鉛直面照度をＦｂ、領域Ｃの下向き水平面照度をＦｃとしたとき、壁面２１における幅方向の中央付近において１．５≦Ｆｂ／Ｆａ≦２．０かつ１．０≦Ｆｃ／Ｆｂ≦２．０が満たされ、また、１００［ｌｘ］≦Ｆａ≦１５０［ｌｘ］が満たされる。すなわち、本実施形態においても、実験により得た安らぎ感の高い照明環境と快適な明るさ感の照明環境が実現されるので、居室空間にいる者に高い安らぎ感と快適な明るさ感を与えることができる。
【００５３】
さらに、本実施形態においては、壁面２１からの距離が０．９［ｍ］以上離れた天井面２３の領域の下向き水平面照度をＦｄとしたとき、８０［ｌｘ］≦Ｆｄ≦２００［ｌｘ］が満たされる。すなわち、実験により得た別の快適な明るさ感の照明環境も実現されるので、なお一層、居室空間にいる者に高い安らぎ感と快適な明るさ感を与えることができる。
【００５４】
＜第３の実施形態＞
次に、第３の実施形態による照明装置１の概略構成を図１５に示す。本実施形態においては、セード３は、蛍光灯２から６０°〜−６０°の範囲を覆う透過率約３７％の半透過セード３ａから構成されている。その他の構成については、上記実施形態と同様であり、その説明を省略する。
【００５５】
このような構成により、照明装置１は、６０°〜−６０°の方向へは半透過セード３ａにより減衰された光を放つ。また、約６０°〜１５０°の方向及び約−６０°〜−１５０°の方向へは、蛍光灯２からの直接の光と反射体４により反射された光を直に放つ。
【００５６】
この結果、照明装置１は、図１６に示す符号▲１▼を付したハッチング部分の方向すなわち−３０°〜−６０°の方向に放たれる光の光度の最小値は、蛍光灯２の放つ光束１０００［ｌｍ］あたり４０［ｃｄ］以上となる。なお、略９０°〜１２０°の方向と略−９０°〜−１２０°の方向、３０°〜−３０°の方向、０°〜−３０°の方向、−９０°〜−１００°の方向、及び３０°〜６０°の方向へは、上記の実施形態と同様の光が放たれる。
【００５７】
そして、この照明装置１を、３畳程度以上１２畳程度以下の広さで、かつ短辺に対する長辺の比が２以下で、かつ天井面２３の高さが１．８［ｍ］以上３．０［ｍ］以下の居室空間の対向する２つの壁面２１に、それぞれ、床面２２からの高さ２．０［ｍ］付近で設置する。
【００５８】
これにより、−３０°〜−６０°の方向へ放たれる光の光度の最小値は、光源の放つ光束１０００［ｌｍ］あたり４０［ｃｄ］以上なので、床面２２方向を明るく照らすことができる。これにより、作業面が適切な明るさとなり、居室空間にいる者が視作業を行う際に、作業に支障がない照明環境を与えることができる。
【００５９】
また、略９０°〜１２０°の方向と略−９０°〜−１２０°の方向に放たれる光は、上記の実施形態と同様に、照明装置１を設置した壁面２１を明るく照らすことができ、照明装置１を設置した壁面２１からの反射拡散光が部屋全体に行き渡り、かつ十分な間接光成分を確保することができる。これにより、その居室空間にいる者に高い安らぎ感と快適な明るさ感を与えることができる。
【００６０】
また、３０°〜−３０°の方向に放たれる光は、上記実施形態と同様に、対向する壁面２１に１２０［ｌｘ］以上の適切な照度をもたらすと共に、照明装置１を設置した壁面２１の対向壁面２１及び天井面２３を明るく照らすことができる。これにより、その居室空間にいる者に快適な明るさ感与えることができる。
【００６１】
また、０°〜−３０°の方向に放たれる光は、上記実施形態と同様に、居室空間にいる者への眩しさを抑えることができる。
【００６２】
また、略−９０°〜−１００°の方向に放たれる光は、上記実施形態と同様に、照明装置１を設置した壁面２１の下部を明るく照らすことができる。これにより、その居室空間にいる者に高い安らぎ感と快適な明るさ感を与えることができる。
【００６３】
また、略３０°〜６０°の方向に放たれる光は、上記実施形態と同様に、天井面２３方向を明るく照らし、かつ天井面２３からの反射拡散光を確保することができる。これにより、その居室空間にいる者に高い安らぎ感と快適な明るさ感を与えることができる。
【００６４】
また、本実施形態においても、床面２２からの高さが０〜０．３［ｍ］の壁面２１の領域を領域Ａ、床面２２からの高さが１．２〜１．５［ｍ］の壁面２１の領域を領域Ｂ、壁面２１からの距離が０．６〜０．９［ｍ］の天井面２３の領域を領域Ｃとし、領域Ａの鉛直面照度をＦａ、領域Ｂの鉛直面照度をＦｂ、領域Ｃの下向き水平面照度をＦｃとしたとき、壁面２１における幅方向の中央付近において１．５≦Ｆｂ／Ｆａ≦２．０かつ１．０≦Ｆｃ／Ｆｂ≦２．０が満たされ、また、１００［ｌｘ］≦Ｆａ≦１５０［ｌｘ］が満たされる。また、壁面２１からの距離が０．９［ｍ］以上離れた天井面２３の領域の下向き水平面照度をＦｄとしたとき、８０［ｌｘ］≦Ｆｄ≦２００［ｌｘ］が満たされる。すなわち、本実施形態においても、実験により得た安らぎ感の高い照明環境と快適な明るさ感の照明環境が実現されるので、居室空間にいる者に高い安らぎ感と快適な明るさ感を与えることができる。
【００６５】
＜第４の実施形態＞
次に、第４の実施形態による照明装置１の概略構成を図１７に示す。本実施形態においては、セード３は、蛍光灯２から３０°〜−３０°の範囲を覆う透過率約３７％の半透過セード３ａと、蛍光灯２から３０°〜６０°の範囲及び−３０°〜壁面２１までの範囲を覆う不透過セード３ｂとから構成されている。その他の構成については、上記実施形態と同様であり、その説明を省略する。
【００６６】
このような構成により、照明装置１は、３０°〜−３０°の方向へは半透過セード３ａにより減衰された光を放ち、３０°〜６０°の方向及び−３０°〜壁面２１までの方向へは不透過セード３ｂのために光を放たない。また、約６０°〜１５０°の方向へは、蛍光灯２からの直接の光と反射体４により反射された光を直に放つ。
【００６７】
そして、この照明装置１を、３畳程度以上１２畳程度以下の広さで、かつ短辺に対する長辺の比が２以下で、かつ天井面２３の高さが１．８［ｍ］以上３．０［ｍ］以下の居室空間の対向する２つの壁面２１に、それぞれ、床面２２からの高さ２．０［ｍ］付近で設置する。
【００６８】
これにより、略９０°〜１２０°の方向との方向に放たれる光は、上記の実施形態と同様に、照明装置１を設置した壁面２１を明るく照らすことができ、照明装置１を設置した壁面２１からの反射拡散光が部屋全体に行き渡り、かつ十分な間接光成分を確保することができる。これにより、その居室空間にいる者に高い安らぎ感と快適な明るさ感を与えることができる。
【００６９】
また、３０°〜−３０°の方向に放たれる光は、上記実施形態と同様に、対向する壁面２１に適切な照度をもたらすと共に、照明装置１を設置した壁面２１の対向壁面２１及び天井面２３を明るく照らすことができる。これにより、その居室空間にいる者に快適な明るさ感与えることができる。
【００７０】
また、０°〜−３０°の方向に放たれる光は、上記実施形態と同様に、居室空間にいる者への眩しさを抑えることができる。
【００７１】
＜第５の実施形態＞
次に、第５の実施形態による照明装置１の概略構成を図１８に示す。本実施形態においては、蛍光灯２の下方に調光可能な４０Ｗの直管蛍光灯６を設け、白色塗装した鉄製の反射板７により蛍光灯２と蛍光灯６とを略−３０°の方向で分け隔てている。また、セード３は、これらの蛍光灯２、蛍光灯６から６０°〜−６０°の範囲を覆う透過率約３７％の半透過セード３ａから構成されている。その他の構成については、上記実施形態と同様であり、その説明を省略する。
【００７２】
このような構成により、照明装置１は、−３０°〜−６０°の方向へは、調光可能な蛍光灯６からの光を半透過セード３ａにより減衰して放ち、−６０°〜１５０°の方向へは、調光可能な蛍光灯６からの直接の光と反射体４により反射された光を直に放つ。また、６０°〜−３０°の方向へは、蛍光灯２からの光を半透過セード３ａにより減衰して放ち、６０°〜１５０°の方向へは、蛍光灯２からの直接の光と反射体４により反射された光を直に放つ。
【００７３】
この結果、照明装置１は、図１９に示す符号▲１▼を付したハッチング部分の方向すなわち−３０°〜−６０°の方向に放たれる光の光度は可変となる。なお、略９０°〜１２０°の方向、３０°〜−３０°の方向、０°〜−３０°の方向、３０°〜６０°の方向へは、上記の実施形態と同様の光が放たれる。
【００７４】
そして、この照明装置１を、３畳程度以上１２畳程度以下の広さで、かつ短辺に対する長辺の比が２以下で、かつ天井面２３の高さが１．８［ｍ］以上３．０［ｍ］以下の居室空間の壁面２１に、床面２２からの高さ２．０［ｍ］付近で設置する。
【００７５】
これにより、−３０°〜−６０°の方向へ放たれる光の光度を調整することができ、作業面の高さに応じて光度を調整することができる。これにより、作業面がどの高さでも、居室空間にいる者が視作業を行う際に、作業に支障がない照明環境を与えることができる。
【００７６】
また、略９０°〜１２０°の方向と略−９０°〜−１２０°の方向に放たれる光は、上記の実施形態と同様に、照明装置１を設置した壁面２１を明るく照らすことができ、照明装置１を設置した壁面２１からの反射拡散光が部屋全体に行き渡り、かつ十分な間接光成分を確保することができる。これにより、その居室空間にいる者に高い安らぎ感と快適な明るさ感を与えることができる。
【００７７】
また、３０°〜−３０°の方向に放たれる光は、上記実施形態と同様に、対向する壁面２１に適切な照度をもたらすと共に、照明装置１を設置した壁面２１の対向壁面２１及び天井面２３を明るく照らすことができる。これにより、その居室空間にいる者に快適な明るさ感与えることができる。
【００７８】
また、０°〜−３０°の方向に放たれる光は、上記実施形態と同様に、居室空間にいる者への眩しさを抑えることができる。
【００７９】
また、略３０°〜６０°の方向に放たれる光は、上記実施形態と同様に、天井面２３方向を明るく照らし、かつ天井面２３からの反射拡散光を確保することができる。これにより、その居室空間にいる者に高い安らぎ感と快適な明るさ感を与えることができる。
【００８０】
＜第６の実施形態＞
次に、第６の実施形態による照明装置１の概略構成を図２０に示す。本実施形態においては、蛍光灯２の両横側に、スポットライト８を設けている。その他の構成については、上記実施形態と同様であり、その説明を省略する。このスポットライト８は、照明方向を調整することができるように、回動自在に設けられている。また、このスポットライト８は、明るさを調整することができるようになっている。
【００８１】
そして、この照明装置１を、図２１に示すように、３畳程度以上１２畳程度以下の広さで、かつ短辺に対する長辺の比が２以下で、かつ天井面２３の高さが１．８［ｍ］以上３．０［ｍ］以下の居室空間の壁面２１に、床面２２からの高さ２．０［ｍ］付近で設置する。
【００８２】
これにより、蛍光灯２からの光による壁面２１及び天井面２３からの反射拡散光が部屋全体に行き渡りかつ十分な間接光成分が得られると共に、スポットライト８からの照明により、作業領域２４を部分的にかつ適切な明るさで照らすことができる。これにより、居室空間にいる者に高い安らぎ感と快適な明るさ感を与えることができると共に、居室空間にいる者が視作業を行う際に作業に支障がない適切な明るさの照明環境を与えることができる。
【００８３】
＜第７の実施形態＞
次に、第７の実施形態による照明方法を図２２に示す。本実施形態においては、床面２２の広さが１２畳、天井面２３の高さが２．５［ｍ］の居室空間において、天井面２３に６０［ｗ］のスポットライト９（総光束８００［ｌｍ］）を１台設置し、床面２２に７５［ｗ］のフロアスタンド１０（総光束１０００［ｌｍ］）を３台と６０［ｗ］の床置照明器具１１（総光束８００［ｌｍ］）を２台図示のように設置する。
【００８４】
これにより、壁面２１において、床面２２からの高さが０〜０．３［ｍ］の壁面２１の領域を領域Ａ、床面２２からの高さが１．２〜１．５［ｍ］の壁面２１の領域を領域Ｂ、壁面２１からの距離が０．６〜０．９［ｍ］の天井面２３の領域を領域Ｃとし、領域Ａの鉛直面照度をＦａ、領域Ｂの鉛直面照度をＦｂ、領域Ｃの下向き水平面照度をＦｃとしたとき、Ｆａ＝１２０［ｌｘ］、Ｆｂ＝１８０［ｌｘ］、Ｆｃ＝２４０［ｌｘ］となる。すなわち、Ｆｂ／Ｆａ＝１．５、Ｆｃ／Ｆｂ＝１．３となり、１．５≦Ｆｂ／Ｆａ≦２．０かつ１．０≦Ｆｃ／Ｆｂ≦２．０が満たされ、また、１００［ｌｘ］≦Ｆａ≦１５０［ｌｘ］が満たされる。
【００８５】
従って、本実施形態においては、実験により得た安らぎ感の高い照明環境と快適な明るさ感の照明環境が実現され、居室空間にいる者に高い安らぎ感と快適な明るさ感を与えることができる。
【００８６】
＜第８の実施形態＞
次に、第８の実施形態による照明方法を図２３に示す。本実施形態においては、床面２２の広さが１２畳、天井面２３の高さが２．５［ｍ］の居室空間において、天井面２３に６０［ｗ］のスポットライト９（総光束８００［ｌｍ］）を２台設置し、床面２２に７５［ｗ］のフロアスタンド１０（総光束１０００［ｌｍ］）を４台と６０［ｗ］の床置照明器具１１（総光束８００［ｌｍ］）を３台図示のように設置する。
【００８７】
これにより、２つの壁面２１のそれぞれにおいて、床面２２からの高さが０〜０．３［ｍ］の壁面２１の領域を領域Ａ、床面２２からの高さが１．２〜１．５［ｍ］の壁面２１の領域を領域Ｂ、壁面２１からの距離が０．６〜０．９［ｍ］の天井面２３の領域を領域Ｃとし、領域Ａの鉛直面照度をＦａ、領域Ｂの鉛直面照度をＦｂ、領域Ｃの下向き水平面照度をＦｃとしたとき、Ｆａ＝１２０［ｌｘ］、Ｆｂ＝１８０［ｌｘ］、Ｆｃ＝２４０［ｌｘ］となる。すなわち、２つの壁面２１のそれぞれにおいて、Ｆｂ／Ｆａ＝１．５、Ｆｃ／Ｆｂ＝１．３となり、１．５≦Ｆｂ／Ｆａ≦２．０かつ１．０≦Ｆｃ／Ｆｂ≦２．０が満たされ、また、１００［ｌｘ］≦Ｆａ≦１５０［ｌｘ］が満たされる。
【００８８】
従って、本実施形態においては、実験により得た安らぎ感の高い照明環境と快適な明るさ感の照明環境が実現され、居室空間にいる者に高い安らぎ感と快適な明るさ感を与えることができる。
【００８９】
＜第９の実施形態＞
次に、第９の実施形態による照明方法を図２４に示す。本実施形態においては、図２４に示すように、居室空間３０（図中のハッチング部分）は、大部屋３１の一角に障子３２で仕切られて設けられており、障子３２と対抗する側に隣り合った２つの壁面２１が存在している。そして、この居室空間３０の一方の壁面２１の近くに、高さ１．８［ｍ］のフロアスタンド１０を２台と高さ０．５［ｍ］の床置照明器具１１を１台図示のように設置する。また、もう一方の壁面２１には、高さ２．０［ｍ］付近にで壁付照明１２を１台設置する。
【００９０】
これにより、床面からの高さが０〜０．３［ｍ］の壁面２１の領域を領域Ａ、床面からの高さが１．２〜１．５［ｍ］の壁面２１の領域を領域Ｂ、壁面２１からの距離が０．６〜０．９［ｍ］の天井面の領域を領域Ｃとし、領域Ａの鉛直面照度をＦａ、領域Ｂの鉛直面照度をＦｂ、領域Ｃの下向き水平面照度をＦｃとしたとき、Ｆｂ／Ｆａ＝１．５、Ｆｃ／Ｆｂ＝１．３となり、１．５≦Ｆｂ／Ｆａ≦２．０かつ１．０≦Ｆｃ／Ｆｂ≦２．０を満たすように照明する。
【００９１】
＜第１０の実施形態＞
次に、第１０の実施形態による照明方法を図２５に示す。本実施形態においては、図２５に示すように、居室空間３０は、略半円形状に構成されており、平な壁面２１と曲面状の壁面２１ａとを備えている。そして、この居室空間３０の曲面状の壁面２１ａの近くに、高さ１．８［ｍ］のフロアスタンド１０を２台と高さ０．５［ｍ］の床置照明器具１１を２台、図示のように設置する。また、平らな壁面２１には、高さ２．０［ｍ］のスポットライト１３を２台設置し、居室空間３０の略中央に、天井から吊るされる高さ２．０［ｍ］のペンダント照明器具１４を４台設置する。
【００９２】
これにより、床面からの高さが０〜０．３［ｍ］の壁面２１の領域を領域Ａ、床面からの高さが１．２〜１．５［ｍ］の壁面２１の領域を領域Ｂ、壁面２１からの距離が０．６〜０．９［ｍ］の天井面の領域を領域Ｃとし、領域Ａの鉛直面照度をＦａ、領域Ｂの鉛直面照度をＦｂ、領域Ｃの下向き水平面照度をＦｃとしたとき、Ｆｂ／Ｆａ＝１．５、Ｆｃ／Ｆｂ＝１．３となり、１．５≦Ｆｂ／Ｆａ≦２．０かつ１．０≦Ｆｃ／Ｆｂ≦２．０を満たすように照明する。
【００９３】
＜第１１の実施形態＞
次に、第１１の実施形態による照明方法を図２６に示す。本実施形態においては、床面２２の広さが１２畳、天井面２３の高さが２．５［ｍ］の居室空間において、壁からの６０［ｗ］のスポットライト（総光束８００［ｌｍ］）を４台（不図示）設置し、天井面２３に６２［ｗ］のシーリングライト１５（総光束４６４０［ｌｍ］）を設置し、床面２２に７５［ｗ］のフロアスタンド１０（総光束１０００［ｌｍ］）を３台と６０［ｗ］の床置照明器具１１（総光束８００［ｌｍ］）を３台図示のように設置する。
【００９４】
これにより、２つの壁面２１のそれぞれにおいて、床面２２からの高さが０〜０．３［ｍ］の壁面２１の領域を領域Ａ、床面２２からの高さが１．２〜１．５［ｍ］の壁面２１の領域を領域Ｂ、壁面２１からの距離が０．６〜０．９［ｍ］の天井面２３の領域を領域Ｃとし、領域Ａの鉛直面照度をＦａ、領域Ｂの鉛直面照度をＦｂ、領域Ｃの下向き水平面照度をＦｃとしたとき、Ｆａ＝１２０［ｌｘ］、Ｆｂ＝１８０［ｌｘ］、Ｆｃ＝２４０［ｌｘ］となる。すなわち、２つの壁面２１のそれぞれにおいて、Ｆｂ／Ｆａ＝１．５、Ｆｃ／Ｆｂ＝１．３となり、１．５≦Ｆｂ／Ｆａ≦２．０かつ１．０≦Ｆｃ／Ｆｂ≦２．０が満たされ、また、１００［ｌｘ］≦Ｆａ≦１５０［ｌｘ］が満たされる。
【００９５】
また、壁面２１からの距離が０．９［ｍ］以上離れた天井面２３の領域の下向き水平面照度をＦｄとしたとき、Ｆｄ＝８０［ｌｘ］となり、８０［ｌｘ］≦Ｆｄ≦２００［ｌｘ］が満たされる。
【００９６】
従って、本実施形態においては、実験により得た安らぎ感の高い照明環境と快適な明るさ感の照明環境が実現され、居室空間にいる者に高い安らぎ感と快適な明るさ感を与えることができる。
【００９７】
【発明の効果】
以上説明したように請求項１の発明によれば、３畳程度以上１２畳程度以下の広さで、かつ短辺に対する長辺の比が略２以下で、かつ天井高さ略１．８［ｍ］以上３．０［ｍ］以下の居室空間において、床面からの高さが０〜０．３［ｍ］の壁面の領域を領域Ａ、床面からの高さが１．２〜１．５［ｍ］の壁面の領域を領域Ｂ、壁面からの距離が０．６〜０．９［ｍ］の天井面の領域を領域Ｃとし、領域Ａの鉛直面照度をＦａ、領域Ｂの鉛直面照度をＦｂ、領域Ｃの下向き水平面照度をＦｃとしたとき、居室空間の少なくとも一壁面における幅方向の中央付近において、１．５≦Ｆｂ／Ｆａ≦２．０、かつ、１．０≦Ｆｃ／Ｆｂ≦２．０を満たすように照明される。これにより、壁面下部は暗くなりすぎることのない程度に壁面中心部よりも低照度、低輝度となる共に、壁面上部及び天井面は明るくなりすぎることのない程度に壁面中心部よりも高照度、高輝度となり、また、実験により得た安らぎ感の高い照明環境と快適な明るさ感の照明環境が実現されるので、居室空間にいる者に高い安らぎ感と快適な明るさ感を与えることができる。
【００９８】
また、請求項２の発明によれば、居室空間の少なくとも一壁面における幅方向の中央付近において、１００［ｌｘ］≦Ｆａ≦１５０［ｌｘ］を満たすように照明すように照明される。これにより、壁面下部が過剰に低照度、低輝度となることがなく適度な明るさで照らされ、また、実験により得た安らぎ感の高い照明環境と快適な明るさ感の照明環境が実現されるので、居室空間にいる者に高い安らぎ感と快適な明るさ感を与えることができる。
【００９９】
また、請求項３の発明によれば、壁面からの距離が０．９［ｍ］以上離れた天井面の領域の下向き水平面照度をＦｄとしたとき、８０［ｌｘ］≦Ｆｄ≦２００［ｌｘ］を満たすように照明される。これにより、天上面が過剰に高照度、高輝度となることがなく適度な明るさで照らされ、また、実験により得た安らぎ感の高い照明環境と快適な明るさ感の照明環境が実現されるので、居室空間にいる者に高い安らぎ感と快適な明るさ感を与えることができる。
【０１００】
また、請求項４の発明によれば、作業面が適切な明るさとなり、居室空間にいる者が視作業を行う際に、作業に支障がない環境を与えることができる。
【０１０１】
また、請求項５の発明によれば、作業面がどの高さでも、居室空間にいる者が視作業を行う際に、作業に支障がない環境を与えることができる。
【０１０２】
また、請求項６の発明によれば、この照明装置を天井高さ略１．８［ｍ］以上３．０［ｍ］以下の居室空間において壁面の高さ略２．０［ｍ］付近に設置することにより、居室空間にいる者への眩しさを抑えつつ対向壁面を明るくすることができ、また、上下方向の光により居室空間全体を明るく照らすことができる。これにより、その居室空間にいる者に高い安らぎ感を与えることができる。
【０１０３】
また、請求項７の発明によれば、この照明装置を設置した壁面の対向壁面及び天井面を明るく照らすことができる。これにより、その居室空間にいる者に高い安らぎ感と快適な明るさ感を与えることができる。
【０１０４】
また、請求項８の発明によれば、この照明装置を設置した壁面を明るく照らすことができ、かつ十分な間接光成分を確保することができる。これにより、その居室空間にいる者に高い安らぎ感と快適な明るさ感を与えることができる。
【０１０５】
また、請求項９の発明によれば、この照明装置を設置した壁面の下部を明るく照らすことができる。これにより、その居室空間にいる者に高い安らぎ感と快適な明るさ感を与えることができる。
【０１０６】
また、請求項１０の発明によれば、天井面方向を明るく照らし、かつ天井面からの反射拡散光を確保することができる。これにより、その居室空間にいる者に高い安らぎ感と快適な明るさ感を与えることができる。
【０１０７】
また、請求項１１の発明によれば、床面方向を明るく照らすことができる。これにより、作業面が適切な明るさとなり、居室空間にいる者が視作業を行う際に、作業に支障がない照明環境を与えることができる。
【０１０８】
また、請求項１２の発明によれば、床面方向の明るさを調整することができる。これにより、作業面がどの高さでも、居室空間にいる者が視作業を行う際に、作業に支障がない照明環境を与えることができる。
【０１０９】
また、請求項１３の発明によれば、作業位置に応じて床面方向を部分的に照らすことができる。これにより、作業面が適切な明るさとなり、居室空間にいる者が視作業を行う際に、作業に支障がない照明環境を与えることができる。
【０１１０】
また、請求項１４の発明によれば、作業面方向の明るさを調整することができる。これにより、作業面がどの位置、どの高さでも、居室空間にいる者が視作業を行う際に、作業に支障がない照明環境を与えることができる。
また、請求項１５に発明によれば、この照明装置を天井高さ略１．８［ｍ］以上３．０［ｍ］異化の居室空間において壁面の高さ略２．０［ｍ］付近に設置することにより、請求項６の発明と同様に、居室空間にいる者への眩しさを抑えつつ対向壁面を明るくすることができ、また、上下方向の光により居室空間全体を明るく照らすことができる。これにより、その居室空間にいる者に高い安らぎ感を与えることができる。
【０１１１】
また、請求項１５に発明によれば、この照明装置を天井高さ略１．８［ｍ］以上３．０［ｍ］以下の居室空間において壁面の高さ略２．０［ｍ］付近に設置することにより、請求項６の発明と同様に、居室空間にいる者への眩しさを抑えつつ対向壁面を明るくすることができ、また、上下方向の光により居室空間全体を明るく照らすことができる。これにより、その居室空間にいる者に高い安らぎ感を与えることができる。
【０１１２】
また、請求項１６の発明によれば、３畳程度以上１２畳程度以下の広さで、かつ短辺に対する長辺の比が略２以下で、かつ天井高さ略１．８［ｍ］以上３．０［ｍ］以下の居室空間において、床面からの高さが０〜０．３［ｍ］の壁面の領域を領域Ａ、床面からの高さが１．２〜１．５［ｍ］の壁面の領域を領域Ｂ、壁面からの距離が０．６〜０．９［ｍ］の天井面の領域を領域Ｃとし、領域Ａの鉛直面照度をＦａ、領域Ｂの鉛直面照度をＦｂ、領域Ｃの下向き水平面照度をＦｃとしたとき、居室空間の少なくとも一壁面における幅方向の中央付近において、１．５≦Ｆｂ／Ｆａ≦２．０、かつ、１．０≦Ｆｃ／Ｆｂ≦２．０を満たすように照明される。これにより、請求項１の発明と同様に、壁面下部は暗くなりすぎることのない程度に壁面中心部よりも低照度、低輝度となる共に、壁面上部及び天井面は明るくなりすぎることのない程度に壁面中心部よりも高照度、高輝度となり、また、実験により得た安らぎ感の高い照明環境と快適な明るさ感の照明環境が実現されるので、居室空間にいる者に高い安らぎ感と快適な明るさ感を与えることができる。
【図面の簡単な説明】
【図１】  居室空間における照明領域を示す図。
【図２】  居室空間における照度と安らぎ感の関係を示す図。
【図３】  居室空間における照度と安らぎ感の関係を示す図。
【図４】  居室空間における照度と明るさ感の関係を示す図。
【図５】  居室空間における照度と明るさ感の関係を示す図。
【図６】  本発明の一実施形態による照明装置の概略構成を示す斜視図。
【図７】  本発明の一実施形態による照明装置の概略構成を示す断面図。
【図８】  同装置の断面における光の強度分布を示す図。
【図９】  同装置の断面における光の強度分布を示す図。
【図１０】  同装置の断面における光の強度分布を示す図。
【図１１】  同装置の断面における光の強度分布を示す図。
【図１２】  同装置の壁面への取付け状態を示す図。
【図１３】  本発明の一実施形態による照明装置の概略構成を示す断面図。
【図１４】  同装置の断面における光の強度分布を示す図。
【図１５】  本発明の一実施形態による照明装置の概略構成を示す断面図。
【図１６】  同装置の断面における光の強度分布を示す図。
【図１７】  本発明の一実施形態による照明装置の概略構成を示す断面図。
【図１８】  本発明の一実施形態による照明装置の概略構成を示す断面図。
【図１９】  同装置の断面における光の強度分布を示す図。
【図２０】  本発明の一実施形態による照明装置の概略構成を示す斜視図。
【図２１】  同装置の壁面への取付け状態を示す図。
【図２２】  本発明の一実施形態による照明方法を示す図。
【図２３】  本発明の一実施形態による照明方法を示す図。
【図２４】  本発明の一実施形態による照明方法を示す図。
【図２５】  本発明の一実施形態による照明方法を示す図。
【図２６】  本発明の一実施形態による照明方法を示す図。
【符号の説明】
１  照明装置
２  蛍光灯（光源）
３  セード
３ａ  半透過セード
３ｂ  不透過セード
４  反射体
６  蛍光灯（光源）
８  スポットライト
９  スポットライト
１０  フロアスタンド
１１  床置照明器具
１２  壁付照明器具
１３  スポットライト
１４  ペンダント照明器具
１５  シーリングライト
２１  壁面
２２  床面
２３  天井面
２４  作業領域
【図１】
0004135339.tif 000002
【図２】
0004135339.tif 000003
【図３】
0004135339.tif 000004
【図４】
0004135339.tif 000005
【図５】
0004135339.tif 000006
【図６】
0004135339.tif 000007
【図７】
0004135339.tif 000008
【図８】
0004135339.tif 000009
【図９】
0004135339.tif 000010
【図１０】
0004135339.tif 000011
【図１１】
0004135339.tif 000012
【図１２】
0004135339.tif 000013
【図１３】
0004135339.tif 000014
【図１４】
0004135339.tif 000015
【図１５】
0004135339.tif 000016
【図１６】
0004135339.tif 000017
【図１７】
0004135339.tif 000018
【図１８】
0004135339.tif 000019
【図１９】
0004135339.tif 000020
【図２０】
0004135339.tif 000021
【図２１】
0004135339.tif 000022
【図２２】
0004135339.tif 000023
【図２３】
0004135339.tif 000024
【図２４】
0004135339.tif 000025
【図２５】
0004135339.tif 000026
【図２６】
0004135339.tif 000027